(57)【要約】【課題】コーナ部のパネル体の突き合わせ部分のばたつき抑制を図ることが可能な手摺を提供すること。【解決手段】建物ユニット１Ａに立設された支柱２０と、建物ユニット１Ａと支柱２０との少なくとも一方に支持されたパネルユニット５０と、パネルユニット５０のパネル体５２どうしが突き合うコーナ部としての出隅部Ｃ１と、を備え、出隅部Ｃ１で突き合う両パネル体５２，５２には、それぞれ端縁部に沿って縦框５４，５５が設けられ、両縦框５４，５５には、相互に嵌合して両パネル体５２，５２の水平方向の相対移動を規制する嵌合部５６が設けられている手摺ＨＲとした。【選択図】図１３
2019002153.tif 000002
【特許請求の範囲】
【請求項１】
建物躯体に立設された支柱と、
前記建物躯体と前記支柱との少なくとも一方に支持されたパネルユニットと、
前記パネルユニットのパネル体どうしが突き合うコーナ部と、
を備え、
前記コーナ部で突き合う両パネル体には、それぞれ端縁部に沿って縦框が設けられ、
両縦框には、相互に嵌合して両パネル体の水平方向の相対移動を規制する嵌合部が設けられている手摺。
【請求項２】
請求項１に記載の手摺において、
前記嵌合部は、一方の前記縦框に形成され、上下方向に延在された凹溝と、もう一方の前記縦框に形成され、前記凹溝に挿入可能に突設されるとともに、上下方向に延在された凸条部と、を備える手摺。
【請求項３】
請求項１または請求項２に記載の手摺において、
前記パネルユニットは、前記建物躯体と前記支柱との少なくとも一方に固定された下枠と、前記下枠の上方位置に前記下枠と間隔を開けて配置され、前記建物躯体と前記支柱との少なくとも一方に固定された上枠と、に上下を挟まれて支持され、
前記下枠は、前記パネルユニットの下端部が嵌め込まれた下溝部を有するとともに、前記上枠は、前記パネルユニットの上端部が嵌め込まれた上溝部を有する手摺。
【請求項４】
請求項１〜請求項３のいずれか１項に記載の手摺において、
前記パネルユニットは、前記パネル体の水平方向両側縁部に取り付けられた縦框と、前記パネル体の上縁部に取り付けられ、長手方向両端部が前記縦框に固定された上框とを有している手摺。
【請求項５】
請求項１〜請求項３のいずれか１項に記載の手摺において、
前記パネルユニットは、上框および下框と、前記縦框を含む一対の縦框を四周に組んだ框枠体の内周に前記パネル体が装着されている手摺。
【請求項６】
請求項１〜請求項５のいずれか１項に記載の手摺において、
前記縦框と前記支柱との間に、相互に嵌り合って水平方向に係合する嵌合部を有する手摺。
【請求項７】
請求項１〜請求項６のいずれか１項に記載の手摺において、
前記パネル体は、ガラスパネルである手摺。
【請求項８】
請求項１〜請求項７のいずれか１項に記載の手摺において、
前記支柱は、金属製の帯材により形成されて前記建物躯体に固定された補強材を備え、
前記上枠は、前記補強材に固定されている手摺。
【請求項９】
請求項１〜８のいずれか１項に記載の手摺を有する建物。
【発明の詳細な説明】
【技術分野】
【０００１】
本開示は、手摺および建物に関するものである。
【背景技術】
【０００２】
建物のベランダやバルコニーに手摺が設けられることがある。このような手摺の構造として、建物躯体に支柱を立設し、この支柱および建物躯体でパネルユニットを支持した手摺が知られている（例えば、特許文献１、特許文献２参照）。
【先行技術文献】
【特許文献】
【０００３】
【特許文献１】特許第５３３００３２号公報
【特許文献２】特許第５３５７４３７号公報
【発明の概要】
【発明が解決しようとする課題】
【０００４】
しかしながら、従来の手摺にあっては、建物の出隅部分などに手摺を設置する際に、パネルユニットのパネル体の端縁どうしを略直角に突き合わせることになる。この場合、風や人的荷重の影響で、ばたつき音が発生するおそれがあった。
【０００５】
本開示は、コーナ部のパネル体の突き合わせ部分のばたつき抑制を図ることが可能な手摺およびこの手摺を備えた建物を提供することを目的とするものである。
【課題を解決するための手段】
【０００６】
この目的を達成するため、本開示の手摺は、
建物躯体に立設された支柱と、
前記建物躯体と前記支柱との少なくとも一方に支持されたパネルユニットと、
前記パネルユニットのパネル体どうしが突き合うコーナ部と、
を備え、
前記コーナ部で突き合う両パネル体には、それぞれ端縁部に沿って縦框が設けられ、
両縦框には、相互に嵌合して両パネル体の水平方向の相対移動を規制する嵌合部が設けられている手摺とした。
また、前記嵌合部は、一方の前記縦框に形成され、上下方向に延在された凹溝と、もう一方の前記縦框に形成され、前記凹溝に挿入可能に突設されるとともに、上下方向に延在された凸条部と、を備えると好ましい。
さらに、前記パネルユニットは、前記建物躯体と前記支柱との少なくとも一方に固定された下枠と、前記下枠の上方位置に前記下枠と間隔を開けて配置され、前記建物躯体と前記支柱との少なくとも一方に固定された上枠と、に上下を挟まれて支持され、
前記下枠は、前記パネルユニットの下端部が嵌め込まれた下溝部を有するとともに、前記上枠は、前記パネルユニットの上端部が嵌め込まれた上溝部を有すると好ましい。
そして、前記パネルユニットは、前記パネル体の水平方向両側縁部に取り付けられた縦框と、前記パネル体の上縁部に取り付けられ、長手方向両端部が前記縦框に固定された上框とを有していると好ましい。
あるいは、前記パネルユニットは、上框および下框と、前記縦框を含む一対の縦框を四周に組んだ框枠体の内周に前記パネル体が装着されていると好ましい。
さらに、前記縦框と前記支柱との間に、相互に嵌り合って水平方向に係合する嵌合部を有すると好ましい。
また、前記パネル体は、ガラスパネルであると好ましい。
そして、前記支柱は、金属製の帯材により形成されて前記建物躯体に固定された補強材を備え、
前記上枠は、前記補強材に固定されていると好ましい。
そして、本開示の建物は、上記した本発明の手摺を有する。
【発明の効果】
【０００７】
本開示の手摺は、パネルユニットのパネル体の縁部どうしの突き合わせ部分が、風や人的荷重などでばたつくのを抑制できる。
また、嵌合部は、一方の縦框に形成された凹溝と、もう一方の縦框に形成された凸条部と、を備えるものでは、パネルユニットの設置時には、凹溝と凸条部とをガイドとしてスライドさせることができ、作業性に優れる。
さらに、パネルユニットが、下枠と上枠とに上下を挟まれて支持され、下枠は、下溝部を有するとともに、上枠は、上溝部を有するものでは、パネルユニットが手摺の鉛直方向の剛性に寄与し、支柱の大型化を抑えつつ、手摺の剛性確保が可能である。
そして、パネルユニットが、一対の縦框と、上框とを有したものでは、パネル体の縦框、上框とが、手摺の鉛直方向の剛性に寄与し、さらに、手摺の剛性を確保可能となる。
あるいは、パネルユニットが、上框および下框と一対の縦框とを四周に組んだ框枠体の内周に前記パネル体が装着されたものでは、パネルユニットによる手摺の鉛直方向の剛性をさらに確実に確保可能となり、手摺の剛性をさらに向上することが可能となる。
さらに、縦框と支柱との間に、相互に嵌り合って水平方向に係合する嵌合部を有するものでは、手摺の剛性として、支柱に加え、縦框を備えたパネルユニットも寄与し、手摺の剛性を高めることができる。
また、パネル体が、ガラスパネルであるものでは、手摺の内側の明るさを確保できるとともに、防犯性を高めることができる。加えて、パネルユニットの剛性を確保することで、さらに手摺の剛性を確保することが可能となる。
そして、支柱が、金属製の帯材により形成されて建物躯体に固定された補強材を備え、上枠が、補強材に固定されたものでは、手摺の幅寸法を抑えつつ、パネルユニットの水平方向の荷重に対する剛性を補強材により確保することができる。
本開示の建物は、上記の効果を奏する手摺を有した建物を提供することができる。
【図面の簡単な説明】
【０００８】
【図１Ａ】実施の形態１の手摺を備えたユニット建物を示す概略斜視図である。
【図１Ｂ】図１Ａに示すユニット建物を出隅部側から見た部分拡大斜視である。
【図２】実施の形態１の手摺を備えたユニット建物においてバルコニーが設けられた建物ユニットの骨組構造体の概略斜視図である。
【図３】前記建物ユニットのバルコニー部分の断面図であって、図１ＡのＳ３−Ｓ３線の位置での断面を示す。
【図４】図３のＳ４−Ｓ４線での断面を示す断面図である。
【図５】図４のＳ５−Ｓ５線での断面を示す断面図である。
【図６】図４の一点鎖線Ｋ６により囲む部分を拡大した拡大断面図である。
【図７】実施の形態１の手摺を示す側面図であり、図１２の矢印Ｙ７方向から見た図である。
【図８】実施の形態１の手摺の下枠の部分を示す拡大断面図であって、図４のＳ８−Ｓ８線での断面を示す。
【図９】実施の形態１の手摺の上枠の部分を示す拡大断面図であって、図１１のＳ９−Ｓ９線の位置での断面を示す。
【図１０】実施の形態１の手摺の上枠の部分を示す拡大断面図であって、図１１のＳ１０−Ｓ１０線の位置での断面を示す。
【図１１】実施の形態１の手摺を示す断面図であって、笠木ベースを上方から見た状態を示す。
【図１２】実施の形態１の手摺を示す断面図である。
【図１３】実施の形態１の手摺の要部を示す拡大断面図である。
【発明を実施するための形態】
【０００９】
以下、本開示の実施の形態を図面に基づいて説明する。
［実施の形態１］
まず、本開示の実施の形態１の手摺ＨＲを備えたユニット建物ＵＢについて説明する。
＜ユニット建物の構成＞
図１Ａは実施の形態１の手摺ＨＲを備えたユニット建物ＵＢの概略斜視図、図１Ｂは図１Ａのユニット建物ＵＢを出隅部Ｃ１側から見た部分拡大斜視である。
図１Ａに示したユニット建物ＵＢは、複数の建物ユニット１Ａ〜１Ｇを水平方向および縦方向（上下方向）に並設することにより構築されたものである。この複数の建物ユニット１Ａ〜１Ｇのうち建物ユニット１Ａ〜１Ｄは、１階に配置されて水平方向に隣り合うものどうしで相互に固定されている。なお、各建物ユニット１Ａ〜１Ｇは、同様の構成であるため、建物ユニット１Ａ〜１Ｇのうち、特定のものを指さない場合は、単に建物ユニット１と表記する。
【００１０】
建物ユニット１Ａ〜１Ｇのうち建物ユニット１Ｅ〜１Ｇは、２階に配置され、１階の建物ユニット１Ｂ〜１Ｄの上に固定されているているとともに、水平方向に隣り合うものどうしでも相互に固定されている。また、出隅部Ｃ１に配置された建物ユニット１Ａの上には、バルコニーＢＬが設けられ、このバルコニーＢＬの外周縁部に、本開示の手摺ＨＲが設けられている。
【００１１】
＜建物ユニットの構成＞
次に、建物ユニット１の骨組構造について、出隅部Ｃ１に配置された建物ユニット１Ａを代表として、図２に基づいて簡単に説明する。なお、図２は、バルコニーＢＬが設けられた建物ユニット１Ａの骨組構造体２の概略斜視図である。
建物ユニット１Ａは、図２に示す骨組構造体２を有する。この骨組構造体２は、四隅に配設した４本の柱材３と、妻側に配置された柱材３，３の下端どうしを連結する下妻梁（図示せず）と、桁側に配置された柱材３，３の下端部どうしを連結する下桁梁（図示せず）とを有する。また、骨組構造体２は、妻側に配置された柱材３，３の上端部どうしを連結する一対の上妻梁４，４と、桁側に配置された柱材３，３の上端部どうしを連結する一対の上桁梁５，５を有する。なお、一対の上桁梁５，５の間には、図２では不図示の天井根太１１（図３参照）が複数架け渡されている。
【００１２】
骨組構造体２の上妻梁４，４および上桁梁５，５で囲まれる部分には床支持フレーム６が設けられている。この床支持フレーム６は、一対の上桁梁５，５に沿って長手方向両端部までそれぞれ延びる一対の垂木受梁７，７と、この垂木受梁７，７に架け渡された複数の垂木８とを有する。なお、垂木８の長手方向両端部は、木ねじなどの根太固定手段（図示せず）で垂木受梁７，７にそれぞれ固定されている。
【００１３】
また、垂木受梁７，７は、上桁梁５に支持されている。なお、垂木受梁７は、上桁梁５及び垂木受梁７を貫通するボルト９と、このボルト９の先端部に螺着されたナット１０により、上桁梁５に締め付け固定されている。
【００１４】
＜バルコニーの構成＞
次に、建物ユニット１Ａの上面に設けられたバルコニーＢＬについて説明する。
バルコニーＢＬは、図１Ａ、図１Ｂに示すように、建物ユニット１Ａの上面に設けられたバルコニー床部材１２と、建物ユニット１Ａの外周縁部に設けられた手摺ＨＲとを有する。なお、バルコニー床部材１２は、塩化ビニル鋼鈑製などを重ねて形成されている。
【００１５】
＜手摺の構成＞
次に、実施の形態１の手摺ＨＲの構成について説明する。
図３は、建物ユニット１ＡのバルコニーＢＬ部分の断面図（図１ＡのＳ３−Ｓ３線の位置での断面）であって、実施の形態１の手摺ＨＲは、支柱２０と下枠３０と上枠４０とパネルユニット５０とを備える。
【００１６】
まず、支柱２０について説明する。
支柱２０は、建物躯体としての四角角筒形状の支持フレーム６０に、水平方向に所定の間隔で複数立設されている。なお、支持フレーム６０は、床支持フレーム６の外周で上から見てＬ字を成して配置された垂木受梁７および垂木８の上に沿って設けられている。
【００１７】
支柱２０は、図３のＳ４−Ｓ４線での断面を示す図４の断面図、図４のＳ５−Ｓ５線での断面を示す図５の断面図に示すように、補強材２１と、支柱化粧材２２を備えている。
補強材２１は、鉄、鋼などの金属により形成され、表面メッキ処理が施された矩形帯状の帯材により形成されている。なお、この表面メッキ処理は、他のアルミ製の部材との接触による腐食防止のためである。
【００１８】
そして、補強材２１は、その厚さ方向を手摺ＨＲおよびパネルユニット５０の延在方向に沿う方向に向けるとともに、帯状の幅の方向を建物内外方向に向けて設置されている。この補強材２１の建物ユニット１Ａへの設置は、図５に示すように、補強材２１の下端部に、Ｌ字断面状に水平方向に折曲された固定部２１ａの下面を支持フレーム６０の上面に当接した状態で、ボルト、螺子、ビスなどによる締結、あるいは溶接により支持フレーム６０に固定されている。
また、図４に示すように、補強材２１の建物内方の端部には、支柱固定金具２３が取り付けられている。
【００１９】
支柱化粧材２２は、アルミなどの金属板製であり、図４および図５に示すように、補強材２１の図４において左右および建物内方（矢印ＩＮ方向）の３面を囲むように、上方から見てコの字状の断面形状に形成されている。すなわち、支柱化粧材２２は、一対の側片２２ａ，２２ｂと、両側片２２ａ，２２ｂの建物内方の端部どうしを一体に連結する連結片２２ｃとにより、コの字断面形状に形成されている。
【００２０】
この支柱化粧材２２の固定は、水平方向の固定は、後述する嵌合部９０による縦框５１ａとの係合により行っている（図６参照）。また、支柱化粧材２２の鉛直方向の固定は、下端を支持フレーム６０および補強材２１に当接し（図５参照）、上端を後述の上枠４０の笠木ベース４１の下面に当接させて鉛直方向の移動を規制した状態で（図１０参照）、笠木ベース４１の上からビス（不図示）を用いて固定することにより行っている。なお、補強材２１には、支柱化粧材２２の内面に当接してガタ付を防止するための樹脂製のスペーサ２３が取り付けられている。
また、支柱化粧材２２の側片２２ａ，２２ｂの建物外方（矢印ＯＵＴ方向）の先端部（図４の一点鎖線Ｋ６により囲む部分）には、図６に拡大して示すように、後述する嵌合部９０を構成する嵌合爪２２ｄ，２２ｅが形成されている。
【００２１】
＜下枠、上枠の構成＞
次に、下枠３０と上枠４０とについて説明する。
下枠３０は、前述した図３および手摺ＨＲの側面図である図７に示すように、支持フレーム６０の上面に沿って設けられている。
したがって、下枠３０は、図１２に示すように、バルコニーＢＬの外周縁に沿ってＬ字状に配置されている。
【００２２】
また、上枠４０は、図７に示すように、下枠３０の上方位置に、下枠３０と間隔を開けて配置されている。これら下枠３０と上枠４０とにより上下に挟まれて前述したパネルユニット５０が支持されている。
【００２３】
図３に戻り、下枠３０は、外側下枠材３１と内側下枠材３２とを備えている。
図８は、この下枠３０の部分の拡大断面図であり、外側下枠材３１は、支持フレーム６０の上面および建物外方面に沿うＬ字片部３１ａと、パネルユニット５０の下端部であって後述する下框５１ｃの建物外方を覆うカバー部３１ｂとを備える。そして、Ｌ字片部３１ａが、下面材７０とともに、螺子３３により建物躯体としての支持フレーム６０に固定されている。なお、下面材７０は、図３に示すように、垂木受梁７および支持フレーム６０の建物外方面を覆っている。
【００２４】
内側下枠材３２は、図８に示すように、支持フレーム６０の上面および建物内方面を覆って設けられている。そして、支持フレーム６０の建物内方面に沿って垂下された支持片３２ａが、螺子３４により建物躯体としての支持フレーム６０に固定されている。なお、内側下枠材３２は、支柱２０の設置箇所には、図４に示すように、上方から見てコの字状の切欠部３２ｃが建物の内外方向に形成されている。そして、切欠部３２ｃの縁部に樹脂キャップ３５が装着され、この樹脂キャップ３５は、支柱２０の支柱化粧材２２の外周面に当接されている。
【００２５】
図８に戻り、外側下枠材３１のカバー部３１ｂと、内側下枠材３２との間には、建物内外方向に間隔を開けて下部挟持溝３６が形成されている。この下部挟持溝３６は、支持フレーム６０に沿って、すなわち、バルコニーＢＬの建物外方の端縁部に沿って延在されている。そして、この下部挟持溝３６にパネルユニット５０の下端部であって後述する下框５１ｃが挿入されて、パネルユニット５０の下端部の建物内外方向への移動が規制されて保持されている。なお、図８では、概略のみ示すが、外側下枠材３１の建物内方側端部と、内側下枠材３２の建物外方側端部とには、差し込み片が溝に差し込まれた差込部３７が設けられている。この差込部３７は、支柱２０の位置で切欠かれているため、想像線による表記としている。
【００２６】
なお、図１２に示すように、下枠３０は、上方から見てＬ字状に配置されており、そのコーナ部において、外側下枠材３１と内側下枠材３２とのそれぞれの端縁部が突き合わさる箇所は、帯状の下枠出隅カバー３８により上方から覆われている。
【００２７】
上枠４０は、図９に示すように、笠木ベース４１と手摺笠木４２とを備えている。
笠木ベース４１は、バルコニーＢＬの外周縁に沿うよう上方から見てＬ字状に形成され、その両端が、それぞれ、建物ユニット１Ｅ、１Ｇ（図１参照）に固定され、中間部が支柱２０に固定されている。
【００２８】
また、笠木ベース４１は、図９に示すように、略水平に配置された薄板状のベース部４１ａと、このベース部４１ａの建物外方（矢印ＯＵＴ方向）の端部に上方に凹んだ上部挟持溝４１ｂが形成されている。そして、この上部挟持溝４１ｂにパネルユニット５０の上端部であって後述する上框５１ｂが挿入されて、パネルユニット５０の上端部の建物内外方向および上方への移動が規制されて保持されている。
さらに、笠木ベース４１は、手摺笠木４２と係合するベース側係合爪４１ｃ、４１ｄが、笠木ベース４１の延在方向に沿って形成されている。このベース側係合爪４１ｃは、ベース部４１ａから立ち上げられて形成されている。また、ベース側係合爪４１ｄは、上部挟持溝４１ｂを形成する建物外方の端面から突設されている。
【００２９】
手摺笠木４２は、笠木ベース４１を、上方、建物外方、建物内方から覆うもので、概略樋を上下逆さまにした形状に形成されたもので、アルミなどの金属や樹脂により薄板状に形成されている。
そして、手摺笠木４２には、ベース側係合爪４１ｃ、４１ｄと係合する笠木側係合爪４２ａ，４２ｂが形成され、これらを相互に係合することで手摺笠木４２が笠木ベース４１に固定されている。
【００３０】
次に、上枠４０と支柱２０との固定構造について説明する。
この上枠４０と支柱２０とは、笠木ベース４１を支柱２０の補強材２１の上端部に設けられた固定用片２１ｃに、固定用ブラケット４３を介して締結することで固定されている。
【００３１】
これを詳細に説明すると、補強材２１の上端部には、図９、図１０に示すように、その一部を上方に延在させて略長方形の板状の固定用片２１ｃが形成されている。この固定用片２１ｃは、笠木ベース４１のベース部４１ａに開口された穴（不図示）からベース部４１ａを貫通してその上方に突き出されている。
【００３２】
固定用ブラケット４３は、ベース側固定片４３ａと補強材側固定片４３ｂとにより断面Ｌ字状に形成されている。そして、ベース側固定片４３ａを笠木ベース４１のベース部４１ａの上面に沿わせた状態で、ベース側固定片４３ａが螺子４３ｃによりベース部４１ａに固定されている。また、補強材側固定片４３ｂを補強材２１の固定用片２１ｃに沿わせた状態で、補強材側固定片４３ｂがボルト４３ｄとナット４３ｅの締結により、固定用片２１ｃに固定されている。以上の構成により、上枠４０は、支柱２０の補強材２１に対して固定用ブラケット４３を介して固定されている。
【００３３】
なお、図示は省略するが、笠木ベース４１の建物ユニット１Ｅ、１Ｇ側の端部も、固定用ブラケット４３もしくは、同様のＬ字断面のブラケットを介して、建物ユニット１Ｅ、１Ｇの柱材３などの構造材に対して固定されている。
【００３４】
＜パネルユニットの構成＞
次に、パネルユニット５０の構成について説明する。
このパネルユニット５０は、図７に示すように、略正方形を成して四周に組まれた框枠体５１と、この框枠体５１の内周に装着されたパネル体５２とを備える。また、パネル体５２は、ガラス板により形成されている。
なお、複数のパネルユニット５０は、同様の構成であるが、図１Ｂ、図１２に示すように、出隅部Ｃ１を挟んで設けられたパネルユニット５０（Ａ）、５０（Ｂ）は、框枠体５１の一部の構成が他のパネルユニット５０と異なる。そこで、以下に、この二枚のパネルユニット５０（Ａ）、５０（Ｂ）について説明する場合は、符号に（Ａ）（Ｂ）を付けて、区別するが、複数のパネルユニット５０において共通する構成について説明する場合は、符号の（Ａ）（Ｂ）を省略する。
【００３５】
框枠体５１は、図７に示すように、アルミなどの金属製の縦框５１ａ，５１ａと上框５１ｂと下框５１ｃとを備える。
縦框５１ａ，５１ａは、パネルユニット５０の水平方向両側縁部であって図７において左右縁部に沿って取り付けられている。上框５１ｂは、パネルユニット５０の上縁部に沿って取り付けられ長手方向両端部が縦框５１ａ，５１ａの上端部に螺子５３ａ（図１０参照）により固定されている。下框５１ｃは、パネルユニット５０の下縁部に沿って取り付けられ、長手方向両端部が縦框５１ａ，５１ａの下端部に螺子５３ｂ（図５、図１０参照）により固定されている。
【００３６】
縦框５１ａは、図４および図６に示すように、パネル体５２の外周縁部であって水平方向（図７の左右方向）端縁部を建物内外方向から挟持可能なコの字状のパネル支持溝５１ｄを備える。なお、パネル支持溝５１ｄには、キャップ材５２ａが装着されおり、パネル体５２の外周縁をこのキャップ材５２ａに挿入し、挟持状態とする。
【００３７】
さらに、図６に拡大して示すように、建物内方側の端面５１ｅから、一対の爪部５１ｆ、５１ｆが形成され、かつ、爪部５１ｆと端面５１ｅとの間に、前述した支柱化粧材２２の側片２２ａ，２２ｂに形成された嵌合爪２２ｄ，２２ｅと嵌合して嵌合部９０を形成する爪嵌合溝５１ｇが形成されている。
【００３８】
すなわち、支柱２０は、パネルユニット５０の縦框５１ａが配置されている部位に設けられている。また、支柱２０においてパネルユニット５０の水平方向であって手摺ＨＲの延在方向の幅は、図１１、図１２に示すように、縦框５１ａの同方向の幅と略同寸法に形成されている。したがって、建物外方からの視線に対し、支柱２０は、縦框５１ａにほぼ隠れることになる。
【００３９】
上框５１ｂは、図９に示すように、縦框５１ａと同様に、パネル体５２の上端縁部を挟持して支持するパネル支持溝５１ｈが形成されており、また、パネル支持溝５１ｈにはキャップ材５２ａが装着されている。このキャップ材５２ａに、パネル体５２の上端縁部を挿入して、挟持状態とする。そして、上框５１ｂは、笠木ベース４１の上部挟持溝４１ｂに挿入され、ビス５１ｊにより笠木ベース４１に固定されている。
【００４０】
下框５１ｃも、図８に示すように、縦框５１ａなどと同様に、パネル体５２の下端縁部挟持して支持するパネル支持溝５１ｈが形成されており、このパネル支持溝５１ｈに、キャップ材５２ａが装着されている。そして、このキャップ材５２ａに、パネル体５２の下端縁部が挿入されて挟持されている。
また、この下框５１ｃが、前述した外側下枠材３１と内側下枠材３２との間に形成された下部挟持溝３６に挿入されて、建物内外方向への移動が規制された状態で保持されている。
【００４１】
また、パネルユニット５０は、図７および図１２に示すように、手摺ＨＲの延在方向であって、上枠４０および下枠３０の延在方向に沿って、複数設けられている。そして、前記延在方向に沿って隣り合うパネルユニット５０，５０どうしの間に、パネルユニット５０，５０どうしの間隔を空けることで、バルコニーＢＬの内外の通気を可能とする通気部８０が設けられている。
【００４２】
＜出隅部のパネルユニットの構成＞
次に、出隅部Ｃ１（コーナ部）に設けられたパネルユニット５０（Ａ）、５０（Ｂ）の構成について説明する。
この出隅部Ｃ１に設けられたパネルユニット５０（Ａ）、５０（Ｂ）は、図１２、図１３に示すように、他のパネルユニット５０の縦框５１ａとは異なる形状の縦框５４、５５を有し、両者５４，５５の間には、嵌合部５６を有する。
【００４３】
出隅部Ｃ１を挟む一方のパネルユニット５０（Ａ）において出隅部Ｃ１側に設けられた縦框５４は、図１３に示すように、他の縦框５１ａと比較して、パネルユニット５０の延在方向に長く延長された延長部５４ａを備える。
そして、延長部５４ａには、パネルユニット５０の延在方向に対して直交方向に矩形状に凸となった嵌合凸条部５４ｂが形成されている。なお、この嵌合凸条部５４ｂは、縦框５４の長手方向に沿って延在されている。
【００４４】
出隅部Ｃ１を挟むもう一方のパネルユニット５０（Ｂ）において出隅部Ｃ１側に設けられた縦框５５は、パネルユニット５０（Ｂ）の延在方向に延びる一対の長片５５ａ、短片５５ｃと、その間に形成された凹形状の嵌合凹溝部５５ｂを備える。嵌合凹溝部５５ｂは、縦框５５の上下方向の全長に亘り形成されている。
【００４５】
そして、縦框５４の嵌合凸条部５４ｂと、縦框５５の嵌合凹溝部５５ｂとが、水平方向に嵌り合った嵌合部５６が形成されている。
すなわち、縦框５４と縦框５５の一方を、もう一方に対して上方あるいは下方から挿入することで、嵌合凸条部５４ｂと嵌合凹溝部５５ｂとが嵌り合った状態とする。
【００４６】
ここで、図１２に示すように、パネルユニット５０（Ｂ）において縦框５５と反対側の端部の縦框５１ａは、支柱２０の支柱化粧材２２と図６に示す嵌合部９０を介して係合されている。なお、パネルユニット５０（Ａ）については、隣り合うパネルユニット５０および支柱２０との間に、通気部８０を備え、この嵌合部９０は備えていない。
【００４７】
（実施の形態１の作用）
次に、実施の形態１の作用として、ユニット建物ＵＢにおける手摺ＨＲの構築手順を説明する。
すなわち、建築現場において、各建物ユニット１Ａ〜１Ｇを結合した後、建物ユニット１Ａにおいて手摺ＨＲを組み付ける手順を説明する。
【００４８】
まず、支持フレーム６０の所定の位置に、支柱２０の補強材２１を立設する。この補強材２１の固定は、Ｌ字状の固定部２１ａを支持フレーム６０に固定することで成される。なお、補強材２１の下端部は、図５、図８に示すように、アンカーシート２４により覆う。
そして、補強材２１に対して支柱化粧材２２を装着する。
【００４９】
次に、支持フレーム６０の上面に、下枠３０を取り付ける。この下枠３０は、図８に示すように、外側下枠材３１と内側下枠材３２との二部材で構成されており、外側下枠材３１を支持フレーム６０の建物外方側に取り付け、内側下枠材３２を外側下枠材３１から建物内方側に離して支持フレーム６０の建物内方側に取り付けることで、両者３１，３２の間に、下部挟持溝３６を形成する。
なお、内側下枠材３２には、支柱２０が配置される箇所に対応して切欠部３２ｃが形成されており、図４に示すように、支柱２０と干渉することはない。
【００５０】
次に、パネルユニット５０を、下枠３０に取り付ける。
すなわち、パネルユニット５０を下枠３０に形成された下部挟持溝３６に対して上方から挿入し、図８に示すように、パネルユニット５０の下端縁部の下框５１ｃを、下部挟持溝３６に対し、建物内外方から挟持された状態とする。
【００５１】
また、このようにパネルユニット５０を上方から下部挟持溝３６に向けて移動させる際には、支柱２０が設けられた位置では、パネルユニット５０の縦框５１ａの爪嵌合溝５１ｇ，５１ｇを、支柱化粧材２２の係合爪２２ｄ，２２ｅと嵌め合わせた状態とする。そして、パネルユニット５０を、縦框５１ａの爪嵌合溝５１ｇ，５１ｇと、支柱化粧材２２の係合爪２２ｄ，２２ｅとが相対スライドさせるよう支柱化粧材２２に沿って移動させる。
このように、レール状の係合爪２２ｄ，２２ｅに沿って、長溝状の爪嵌合溝５１ｇ，５１ｇを移動させるため、パネルユニット５０の上下方向の移動をスムーズに行うことができ、施工性に優れる。
また、パネルユニット５０の下端縁部である下框５１ｃを、下部挟持溝３６に対して挿入して起立状態とした際に、パネルユニット５０の縦框５１ａが支柱２０の支柱化粧材２２によって保持されるため、パネルユニット５０の起立状態の姿勢維持を確実に行うことができる。
【００５２】
また、出隅部Ｃ１を挟むパネルユニット５０（Ａ），５０（Ｂ）の設置の際には、まず、両パネルユニット５０（Ａ），５０（Ｂ）の一方を、上記のようにパネルユニット５０の下端縁部である下框５１ｃを、下部挟持溝３６に対して挿入し、起立状態とする。
【００５３】
なお、パネルユニット５０（Ｂ）を先に設置する場合は、上記のように、縦框５１ａの爪嵌合溝５１ｇ，５１ｇを、支柱化粧材２２の係合爪２２ｄ，２２ｅと嵌め合わせた状態と両者を相対スライドさせるようパネルユニット５０（Ｂ）を支柱化粧材２２に沿って移動させる。
【００５４】
そして、もう一方のパネルユニット（例えば、パネルユニット５０（Ａ））の設置の際には、縦框５４の嵌合凸条部５４ｂと、縦框５５の嵌合凹溝部５５ｂとが嵌り合った状態とし、パネルユニット５０（Ａ）を縦框５５に沿って下方にスライドさせる。
したがって、この場合も、パネルユニット５０（Ａ）を、嵌合凸条部５４ｂと嵌合凹溝部５５ｂとによる嵌合部５６をスライドガイドとして用いることができ、作業性に優れる。
【００５５】
また、パネルユニット５０は、隣り合うパネルユニット５０どうしの間には、手摺ＨＲの延在方向に間隔を開けた通気部８０を形成して配置する。
また、この通気部８０の位置では、下部挟持溝３６が上方に開口されるため、この部分を目板８１（図４参照）により覆う。
【００５６】
次に、上枠４０を取り付ける。
この場合、まず、笠木ベース４１を支柱２０の補強材２１ならびにパネルユニット５０の上框５１ｂに固定する。
この笠木ベース４１と補強材２１との固定にあたっては、笠木ベース４１のベース部４１ａに形成された穴（不図示であり、図１１の補強材２１の外周に沿って形成されている）に補強材２１の固定用片２１ｃを挿通し、ベース部４１ａから固定用片２１ｃが突き出た状態とする（１０参照）。
【００５７】
そして、図９、図１０に示すように、固定用ブラケット４３のベース側固定片４３ａを、螺子４３ｃにより笠木ベース４１のベース部４１ａに固定し、固定用ブラケット４３の補強材側固定片４３ｂを補強材２１の固定用片２１ｃに対して、ボルト４３ｄとナット４３ｅとを締結して固定する。
【００５８】
また、笠木ベース４１とパネルユニット５０の上框５１ｂとの固定は、まず、図９に示すように、上框５１ｂが笠木ベース４１の上部挟持溝４１ｂに挿入された状態とする。なお、この作業は、上述のベース部４１ａの穴（不図示）に補強材２１の固定用片２１ｃを挿通させる作業と並行して行うものである。
そして、笠木ベース４１の上方から上框５１ｂに向けてビス５１ｊを差し込んで固定する。なお、ビス５１ｊは、ねじ込むことで、先端部が開いて係合状態となるアンカータイプのものである。
【００５９】
次に、笠木ベース４１に手摺笠木４２を装着する。この装着は、手摺笠木４２の笠木側係合爪４２ａ，４２ｂを、笠木ベース４１のベース側係合爪４１ｃ、４１ｄに係合させることで、固定する。
【００６０】
以上のようにして形成した手摺ＨＲでは、出隅部Ｃ１に配置されたパネルユニット５０（Ａ）とパネルユニット５０（Ｂ）との端部である縦框５４，５５が、図１３に示すように、嵌合部５６により嵌り合う。このため、風や人的荷重がかかった際に、パネルユニット５０（Ａ）、パネルユニット５０（Ｂ）の端部どうしがばたつくのを抑制でき、それによる異音の発生を抑制できる。
【００６１】
また、図４に示すように、支柱２０がパネルユニット５０の縦框５１ａの裏側（建物内方側）に配置される。このため、建物外方から手摺ＨＲを見た際に、縦框５１ａに隠れて外観に現れないため、見た目にすっきりし、支柱２０が外観に現れるものと比較して意匠性を向上できる。
【００６２】
また支柱２０が縦框５１ａに隠れるように、手摺ＨＲの延在方向の幅を抑えた形状としているが、帯状の補強材２１を設けることで、剛性を確保できる。
さらに、補強材２１は、帯状であり、特に、建物内外方向の剛性を確保できる。加えて、補強材２１は、その上端部が、上枠４０の笠木ベース４１と固定用ブラケット４３を介して強固に固定され、下端部が固定部２１ａにより支持フレーム６０に固定されているため、手摺ＨＲの延在方向への高い剛性を得ることができる。
【００６３】
また、手摺ＨＲの鉛直方向および延在方向の剛性は、パネルユニット５０により確保することができる。すなわち、パネルユニット５０は、支柱２０の支柱化粧材２２を縦框５１ａと係合した嵌合部９０を備え、この縦框５１ａは、下枠３０および上枠４０に支持されているため、鉛直方向の剛性を確保することができる。さらに、縦框５１ａは、四周枠状の框枠体５１を構成しているため、さらに手摺ＨＲの延長方向に高い剛性を得ることができる。
【００６４】
なお、パネルユニット５０（Ｂ）は、縦框５５が、嵌合部５６を介してパネルユニット５０（Ａ）の縦框５４と嵌合されており、さらに、縦框５５と反対側の端部の縦框５１ａが、支柱２０の支柱化粧材２２と図６に示す嵌合部９０を介して係合されている。このため、手摺ＨＲのさらなる剛性向上を図ることができる。
【００６５】
加えて、パネルユニット５０どうしの間に通気部８０を設定しているため、バルコニーＢＬの通気性を確保できる。
【００６６】
以下に実施の形態１の効果を列挙する。
１）実施の形態１の手摺ＨＲは、
建物躯体としての建物ユニット１Ａに立設された支柱２０と、
建物ユニット１Ａと支柱２０との少なくとも一方に支持されたパネルユニット５０と、
パネルユニット５０のパネル体５２どうしが突き合うコーナ部としての出隅部Ｃ１と、
を備え、
出隅部Ｃ１で突き合う両パネル体５２，５２には、それぞれ端縁部に沿って縦框５４，５５が設けられ、
両縦框５４，５５には、相互に嵌合して両パネル体５２，５２の水平方向の相対移動を規制する嵌合部５６が設けられている。
したがって、出隅部Ｃ１で、端縁部どうしが突き合うパネルユニット５０（Ａ）、５０（Ｂ）の端縁部どうしが、風や人的荷重などでばたつくのを抑え、このばたつきによる異音や傷や破損などの発生を抑制できる。
【００６７】
２）実施の形態１の手摺ＨＲは、
嵌合部５６は、一方の縦框５５に形成され、上下方向に延在された凹溝としての嵌合凹溝部５５ｂと、もう一方の縦框５４に形成され、嵌合凹溝部５５ｂに挿入可能に突設されるとともに、上下方向に延在された凸条部としての嵌合凸条部５４ｂと、を備える。
したがって、相互に嵌り合う嵌合凸条部５４ｂと嵌合凹溝部５５ｂとが、それぞれ、縦框５４，５５の上下方向に延在されているため、パネルユニット５０（Ａ）、５０（Ｂ）の設置時には、両者をガイドとしてスライドさせることができ、作業性に優れる。
加えて、実施の形態１では、長片５５ａは、縦框５４の端面の全面を覆う水平方向の長さを有するため、外観に両縦框５４，５５の継目が現れにくく、外観品質にも優れる。
さらに、嵌合凸条部５４ｂと嵌合凹溝部５５ｂは、既存の縦框５１ａに付加した形状としているため、既存の成形型を利用して成形型を形成でき、コスト的に有利である。
【００６８】
３）実施の形態１の手摺ＨＲは、
パネルユニット５０は、建物ユニット１Ａの支持フレーム６０に固定された下枠３０と、下枠３０の上方位置に下枠３０と間隔を開けて配置され、建物ユニット１Ａと支柱２０とに固定された上枠４０と、に上下を挟まれて支持され、
下枠３０は、パネルユニット５０の下端部が嵌め込まれた下溝部としての下部挟持溝３６を有するとともに、上枠４０は、パネルユニット５０の上端部が嵌め込まれた上溝部としての上部挟持溝４１ｂを有する。
したがって、パネルユニット５０が手摺ＨＲの鉛直方向の剛性に寄与するため、支柱の大型化を抑えつつ、手摺ＨＲの剛性確保が可能である。
【００６９】
４）実施の形態１の手摺ＨＲは、
パネルユニット５０は、上框５１ｂおよび下框５１ｃと、縦框５４，５５を含む一対の一対の縦框５１ａ，５１ａを四周に組んだ框枠体５１の内周にパネル体５２が装着されている。
したがって、パネルユニット５０は、パネル体５２の四周に框枠体５１を備えるため、框枠体５１を備えないものと比較して、剛性を確保することができる。これにより、手摺ＨＲの剛性も確保することができる。
【００７０】
５）実施の形態１の手摺ＨＲは、
縦框５１ａと支柱２０との間に、相互に嵌り合って水平方向に係合する嵌合部９０を有する。
したがって、支柱２０の剛性として、縦框５１ａおよび縦框５１ａを備えたパネルユニット５０も寄与し、手摺ＨＲの剛性を高めることができる。よって、支柱２０が縦框５１ａに隠れるように、手摺ＨＲの延在方向の幅を狭く形成した場合でも、支柱２０と縦框とを嵌合させないものと比較して、手摺ＨＲの剛性を高めることができる。
【００７１】
６）実施の形態１の手摺ＨＲは、
パネル体５２は、ガラスパネルである。
したがって、バルコニーＢＬの明るさを確保できるとともに、防犯性を高めることができる。また、パネル体を樹脂製の板などで形成する場合と比較して、パネルユニット５０の剛性を確保でき、さらに、これにより手摺ＨＲの剛性も確保することができる。
【００７２】
７）実施の形態１の手摺ＨＲは、
支柱２０は、金属製の帯材により形成されて建物ユニット１Ａの支持フレーム６０に固定された補強材２１を備え、
上枠４０の笠木ベース４１は、補強材２１に固定されている。
したがって、補強材２１と上枠４０との結合により、手摺ＨＲの剛性向上を図ることができる。
【００７３】
８）実施の形態１のユニット建物ＵＢは、
上記１）〜７）に記載の効果を備えた手摺ＨＲを有する。
【００７４】
以上、実施の形態の手摺および建物について説明したが、本開示の手摺および建物は、本実施の形態に限定されるものではなく、本開示の要旨を変更しない範囲で適宜変更が可能である。
例えば、実施の形態では、建物として２階建てのユニット建物のバルコニーに設けた手摺を例示したが、建物の階数および手摺を設ける階数は、これに限定されず、建物としては、１階建、３階建以上の多層階の建物に適用してもよい。また、手摺およびバルコニーを設ける階数も、１階および３階以上に設けてもよい。また、手摺を設ける建物の構造として、複数の建物ユニットを有する建物を示したが、手摺を適用する建物としては、ユニット化されていない建物に適用することも可能である。
【００７５】
また、実施の形態では、支柱を縦框の裏側に配置した例を示したが、これに限定されない。すなわち、パネルユニットが、例えば、パネルユニットの中間部に縦桟を有する構成において、この縦桟の裏側に支柱を配置してもよい。この場合も、実施の形態と同様に、意匠性の向上を図ることが可能である。さらに、支柱として、周知の中空筒状のものを用いてもよい。
【００７６】
また、パネルユニットとして、上框、下框、縦框によりパネル材の四周を囲む框枠体を備えたものを示したが、これに限定されない。例えば、パネルユニットは、パネル体の両側方縁部および上縁部に縦框および上框を設けた框枠体を備えた構造としてもよい。さらに、この場合、縦框のみを下縁に固定し、パネル体の下縁部は、下縁から離した構成としてもよい。このような構造であっても、框枠体は、手摺の鉛直方向の剛性に寄与し、必要な剛性を確保することが可能である。
【００７７】
さらに、実施の形態では、パネル体としてガラス板を示したが、これに限定されない。例えば、パネル体として透光性を有したポリカーボネート、アクリルなどの樹脂を用いてもよいし、透光性を有しない金属製、木製、樹脂製、その他の板材を用いてもよい。また、框枠体として金属製のものを示したが、樹脂などの他の素材により形成されたものを用いてもよい。
また、実施の形態では、パネルユニットを複数設け、隣り合うパネルユニットの間に通気部を設けた構成としたがこれに限定されず、パネルユニットを全体的に一体に形成してもよい。例えば、上框、下框を、パネルユニットの配置する全長に亘って一体に形成し、その必要箇所に縦桟を立設し、縦桟の間にパネル体を設けてもよい。この場合、通気部を設けなくてもよいし、あるいは、縦桟どうしの間に、通気部を設けてもよい。
【００７８】
実施の形態では、下枠は、建物躯体としての建物ユニットの支持フレームに固定し、支柱には樹脂キャップを当接させただけの構造としたが、下枠を支柱に、ブラケットなどを介して固定してもよい。この場合、下枠を支柱のみに固定してもよいし、建物躯体と支柱との両方に固定してもよい。
また、実施の形態では、下枠に下溝部を形成するのにあたり、下枠を外側下枠材と内側下枠材との２部材の間に形成したが、上枠の笠木ベースと同様に、一部材に溝を形成してもよい。逆に、上枠の上溝部を二部材の間に形成してもよい。
さらに、実施の形態では、支柱の補強材に、メッキ処理を施した例を示したが、これに限定されず、補強材にステンレス鋼を用いてもよい。
【００７９】
また、実施の形態では、縦框に設けられて、相互に嵌合して両パネル体の水平方向の相対移動を規制する嵌合部を構成する、凸条部（嵌合凸条部）と凹溝（嵌合凹溝部）として断面形状が矩形のものを示したが、その形状はこれに限定されない。例えば、縦框と支柱化粧材との嵌合部９０に用いたような爪と溝との形状など、要は、水平方向に係合して縦框どうしの水平方向の移動を規制できるものであればよい。
なお、実施の形態に示した嵌合部５６は、水平方向のうちの三方向への移動を規制しているが、嵌合部９０のような嵌め合い構造とすれば、水平方向の四方向への移動が規制可能となり、より好ましい。
【符号の説明】
【００８０】
１Ａ   建物ユニット（建物躯体）
２０   支柱
２１   補強材
３０   下枠
３６   下部挟持溝（下溝部）
４０   上枠
４１   笠木ベース
４１ｂ 上部挟持溝（上溝部）
５０   パネルユニット
５０（Ａ）    パネルユニット
５０（Ｂ）    パネルユニット
５１   框枠体
５１ａ 縦框
５１ｂ 上框
５１ｃ 下框
５４   縦框
５４ｂ 嵌合凸条部
５５   縦框
５５ｂ 嵌合凹溝部
５６   嵌合部
６０   支持フレーム（建物躯体）
９０   嵌合部
ＢＬ   バルコニー
Ｃ１   出隅部（コーナ部）
ＨＲ   手摺
ＵＢ   ユニット建物（建物）
【図１Ａ】
2019002153.tif 000003
【図１Ｂ】
2019002153.tif 000004
【図２】
2019002153.tif 000005
【図３】
2019002153.tif 000006
【図４】
2019002153.tif 000007
【図５】
2019002153.tif 000008
【図６】
2019002153.tif 000009
【図７】
2019002153.tif 000010
【図８】
2019002153.tif 000011
【図９】
2019002153.tif 000012
【図１０】
2019002153.tif 000013
【図１１】
2019002153.tif 000014
【図１２】
2019002153.tif 000015
【図１３】
2019002153.tif 000016